(57)【特許請求の範囲】
【請求項１】
商品を収納する断熱構造の収納室と、収納室内に商品を収納する収納棚と、収納室を加温する加温用ヒータを備え、商品を加温し販売する自動販売機の加昇温度防止装置であって、前記収納室内の温度が異常上昇した際に前記加温用ヒータをＯＦＦ制御するサーモ本体と、前記サーモ本体を収納するサーモケースを備え、前記サーモケースは、開放状態の下部から内部に挿入された前記サーモ本体を内部側面に構成された突起部で固定し、前記サーモ本体の下部が開放状態になるように前記加温用ヒータの上方に取付られることを特徴とした自動販売機の加昇温度防止装置。
【請求項２】
前記サーモケースの内部に前記サーモ本体の端子部間に仕切りを設けたことを特徴とした請求項１に記載の自動販売機の加昇温度防止装置。
【請求項３】
前記サーモケースの側面に前記サーモ本体のコードを通過させ、コードを固定する切り欠き部を設けたことを特徴とした請求項１または２に記載の自動販売機の加昇温度防止装置。
【請求項４】
前記サーモケースに前記サーモ本体が傾斜状に取り付く取付部を設けたことを特徴とした請求項１から３のいずれか一項に記載の自動販売機の加昇温度防止装置。
【発明の詳細な説明】
【技術分野】
【０００１】
本発明は、商品収納装置に収納された商品を加温して商品を販売する機能を有した自動販売機に関し、特に収納室内温度の異常上昇を防止する手段に関するものである。
【背景技術】
【０００２】
従来、この種の自動販売機の加昇温度防止装置は下部容器と片開き式防滴カバーとを一体成形した樹脂成形品のケースにサーモ本体を収容し交換性を容易にしたものがあった（特許文献１参照）。
【０００３】
図４は、特許文献１に記載された従来の自動販売機の加昇温度防止装置の断面図を示すものである。図４において、商品を収納する断熱構造の収納室１と、収納室１内に商品を収納する収納棚２と、収納棚２を加温する加温用ヒータ３と、収納室１内を攪拌するファン４と、加温用ヒータ３の近傍に加昇温度防止装置５とから構成されている。
【０００４】
図５は、加昇温度防止装置の構成図である。サーモケース６と、サーモケース６の内部に収納されサーモスタット（バイメタル式等）と温度ヒューズを一括して組み立てた単体部品としてなるサーモ本体７とから構成されている。
【０００５】
以上のように構成された自動販売機の加昇温度防止装置について、以下その動作を説明する。
【０００６】
まず、収納棚２は加温用ヒータ３とファン４により加温保存されている。
【０００７】
サーモ本体７は、下部容器６ａと防滴カバー６ｂはヒンジ部で連結し片開き式のサーモケース６に収納されている。なお、サーモ本体の機能については周知であり、収納室１内の温度が異常上昇した際に加温用ヒータ３をＯＦＦ制御する。
【特許文献１】特開平９−２８２５４７号公報
【発明の開示】
【発明が解決しようとする課題】
【０００８】
しかしながら、前記従来の構成では、サーモケースが下部容器と防滴カバーで構成され、その内部にサーモ本体を収納するため温度を検知する精度が低下し、また内部に一度液体が侵入すると出ないという課題を有していた。
【０００９】
本発明は、上記従来の課題を解決するもので、温度上昇時の温度検知精度を上げ、防滴に対する信頼性をした自動販売機の加昇温度防止装置を提供することを目的とする。
【課題を解決するための手段】
【００１０】
前記従来の課題を解決するために、商品を収納する断熱構造の収納室と、収納室内に商品を収納する収納棚と、収納室を加温する加温用ヒータを備え、商品を加温し販売する自動販売機の加昇温度防止装置であって、前記収納室内の温度が異常上昇した際に前記加温用ヒータをＯＦＦ制御するサーモ本体と、前記サーモ本体を収納するサーモケースを備え、前記サーモケースは、開放状態の下部から内部に挿入された前記サーモ本体を内部側面に構成された突起部で固定し、前記サーモ本体の下部が開放状態になるように前記加温用
ヒータの上方に取付られることで、温度の検知精度を向上し、防滴に対する信頼性も向上ができる。
【発明の効果】
【００１１】
本発明の自動販売機の加昇温度防止装置は、温度の検知精度を向上し、防滴に対する信頼性も向上することにより、異常時にもより安全を確保できる。
【発明を実施するための最良の形態】
【００１２】
請求項１に記載の発明は、商品を収納する断熱構造の収納室と、収納室内に商品を収納する収納棚と、収納室を加温する加温用ヒータを備え、商品を加温し販売する自動販売機の加昇温度防止装置であって、前記収納室内の温度が異常上昇した際に前記加温用ヒータをＯＦＦ制御するサーモ本体と、前記サーモ本体を収納するサーモケースを備え、前記サーモケースは、開放状態の下部から内部に挿入された前記サーモ本体を内部側面に構成された突起部で固定し、前記サーモ本体の下部が開放状態になるように前記加温用ヒータの上方に取付られることにより、温度の検知精度を向上し、防滴に対する信頼性も向上することにより、異常時にもより安全を確保できる。
【００１３】
請求項２に記載の発明は、請求項１に記載の発明において、前記サーモケースの内部に前記サーモ本体の端子部間に仕切りを設けたことにより絶縁に対する信頼性をさらに向上することができる。
【００１４】
請求項３に記載の発明は、請求項１または２に記載の発明において、前記サーモケースの側面に前記サーモ本体のコードを通過させ、コードを固定する切り欠き部を設けたことにより、コードの整理を容易にでき端面による傷つき等による不安全を防止できる。
【００１５】
請求項４に記載の発明は、請求項１から３のいずれか一項に記載の発明において、前記サーモケースに前記サーモ本体が傾斜状に取り付く取付部を設けたことにより、万一水等が進入した際にも端子部への水かかりを防止することができる。
【００１６】
（実施の形態１）
図１は、本発明の実施の形態１における自動販売機の加昇温度防止装置の斜視図である。
【００１７】
図１において、８はサーモケースであり、下部が開放状態で内部にサーモ本体７を収納する。
【００１８】
図２は、本発明の実施の形態１における自動販売機の加昇温度防止装置のサーモケースの断面図である。
【００１９】
図３は、本発明の実施の形態１における自動販売機の加昇温度防止装置のサーモケースの長手方向の断面図である。
【００２０】
図２において、８ａはサーモケース８の内部側面に構成されている突起部であり、サーモケース８の開放状態の下部からサーモ本体７を挿入し固定する。８ｂは、挿入後のサーモ本体７のガタつきを抑える当り部であり補強の役目も果たしている。８ｃは、サーモ本体７の端子部を仕切る仕切部である。８ｄは、サーモ本体７へ結線されているコードの固定部である。８ｅ、８ｆは、前後から下方へ伸びるかぎ形の取付脚であり、サーモ本体７の端子部側に構成されている取付脚８ｆが長く構成しており、取付後には傾斜した状態となる。
【００２１】
以上のように構成された自動販売機の加昇温度防止装置について、以下その動作、作用を説明する。
【００２２】
収納棚２は加温用ヒータ３とファン４により加温保存されている。
【００２３】
加昇温度防止装置５は、加温用ヒータ３の上方に取付られ収納室１内の温度が異常上昇した際に加温用ヒータ３をＯＦＦ制御する。サーモ本体７は、下部が開放状態であるためファン４が停止状態による異常温度上昇や、ヒータ３の制御不能（連続通電）による異常温度上昇の際、精度良く加温用ヒータ３をＯＦＦ制御できる。
【００２４】
サーモケース８の仕切部８ｃにより、サーモ本体７の端子部に挿入されているプラグ間の絶縁距離を十分確保でき、端子部が変形した際にも短絡等の不安全状態を生じさせない。
【００２５】
固定部８ｄは、サーモ本体７の端子部に接続されているコードを固定し、コードの整理を容易にでき端面による傷つき等による不安全を防止できる。
【００２６】
取付脚８ｅと取付脚８ｆは、サーモケース８の前後から下方にかぎ形の形状で伸び、取付脚８ｆが長く構成されており、サーモ本体７は端子部が高くなり万一水が浸入した際、不安全を防止できる。
【産業上の利用可能性】
【００２７】
以上のように、本発明にかかる自動販売機の過昇温度防止装置は、防滴に対する信頼性が向上し、異常時にもより安全を確保できるので、加温装置を備えた他の機器にも適用できる。
【図面の簡単な説明】
【００２８】
【図１】本発明の実施の形態１における自動販売機の加昇温度防止装置の斜視図
【図２】本発明の実施の形態１における自動販売機の加昇温度防止装置のサーモケースの断面図
【図３】本発明の実施の形態１における自動販売機の加昇温度防止装置のサーモケースの長手方向の断面図
【図４】従来の自動販売機の加昇温度防止装置の断面図
【図５】従来の自動販売機の加昇温度防止装置の構成図
【符号の説明】
【００２９】
１    収納室
２    収納棚
３    ヒータ
５    加昇温度防止装置
７    サーモ本体
８    サーモケース
８ａ  突起部
８ｃ  仕切部
８ｄ  固定部
８ｅ，８ｆ  取付脚
【図１】
0004797494.tif 000002
【図２】
0004797494.tif 000003
【図３】
0004797494.tif 000004
【図４】
0004797494.tif 000005
【図５】
0004797494.tif 000006